(57)【要約】【課題】動画像、および所望の時点の動画像の一部である静止画像を、見やすく、かつ同時に表示する。【解決手段】メモリ１１は、動画像を表示させるための入力映像信号のうちの一部分を、記憶映像信号として記憶する。マイクロコンピュータ１３は、使用者のコントローラ１５の操作に応じて、メモリ１１に記憶されている記憶映像信号によって表示させる画面上の領域を指定する。セレクタ１４は、マイクロコンピュータ１３の指定に基づいて、入力映像信号と、メモリ１１から読み出された記憶映像信号とを切り換えにより合成して出力する。本発明は、動画像を表示させるための映像信号を処理して、動画像のうちの１コマを静止画像として表示させる信号を生成する映像信号処理装置に適用できる。【選択図】      図３
2004328091.tif 000002
【特許請求の範囲】
【請求項１】
動画像を表示させるための入力映像信号のうちの一部分を、記憶映像信号として記憶する記憶手段と、
使用者の操作に応じて、前記記憶手段に記憶されている前記記憶映像信号によって表示させる画面上の領域を指定する領域指定手段と、
前記領域指定手段の指定に基づいて、前記入力映像信号と、前記記憶手段から読み出された前記記憶映像信号とを切り換えにより合成して出力する切換手段と
を含むことを特徴とする映像信号処理装置。
【請求項２】
前記記憶手段は、前記入力映像信号のうちの１コマ分を、前記記憶映像信号として記憶する
ことを特徴とする請求項１に記載の映像信号処理装置。
【請求項３】
動画像を表示させるための入力映像信号の記憶が要求されたか否かを判定する判定ステップと、
画面上の領域の指定を取得する取得ステップと、
前記判定ステップにおいて前記入力映像信号の記憶が要求されたと判定された場合、前記入力映像信号の一部分を記憶映像信号として記憶する記憶ステップと、
前記記憶ステップにおいて記憶された前記記憶映像信号を読み出す読み出しステップと、
前記取得ステップにおいて取得された画面上の領域の指定に対応する、前記入力映像信号と前記記憶映像信号との切り換えのタイミングを演算する演算ステップと、
前記演算ステップにおいて演算された前記タイミングで、前記入力映像信号と、前記読み出しステップにおいて読み出された前記記憶映像信号とを切り換えにより合成して出力する切換ステップと
を含むことを特徴とする映像信号処理方法。
【請求項４】
動画像を表示させるための入力映像信号の記憶が要求されたか否かを判定する判定ステップと、
画面上の領域の指定を取得する取得ステップと、
前記取得ステップにおいて取得された画面上の領域の指定に対応する、前記入力映像信号と、前記判定ステップにおける判定の結果に基づいて記憶されている、前記入力映像信号の一部分である記憶映像信号との切り換えのタイミングを演算する演算ステップと、
前記演算ステップにおいて演算された前記タイミングで、前記入力映像信号と読み出された前記記憶映像信号とを切り換えにより合成して出力する切換ステップと
を含むことを特徴とする映像信号処理をコンピュータに実行させるプログラムが記録されている記録媒体。
【請求項５】
動画像を表示させるための入力映像信号の記憶が要求されたか否かを判定する判定ステップと、
画面上の領域の指定を取得する取得ステップと、
前記取得ステップにおいて取得された画面上の領域の指定に対応する、前記入力映像信号と、前記判定ステップにおける判定の結果に基づいて記憶されている、前記入力映像信号の一部分である記憶映像信号との切り換えのタイミングを演算する演算ステップと、
前記演算ステップにおいて演算された前記タイミングで、前記入力映像信号と読み出された前記記憶映像信号とを切り換えにより合成して出力する切換ステップと
をコンピュータに実行させることを特徴とするプログラム。
【発明の詳細な説明】
【０００１】
【発明の属する技術分野】
本発明は映像信号処理装置および方法、記録媒体、並びにプログラムに関し、特に、動画像を表示させるための映像信号を処理して、動画像のうちの１コマを静止画像として表示できるようにした映像信号処理装置および方法、記録媒体、並びにプログラムに関する。
【０００２】
【従来の技術】
テレビジョン放送等において、料理のレシピ、視聴者プレゼントの案内、またはテロップによって天気若しくは株価などの情報が画面に表示されることがある。視聴者がこれらを紙に書き写して記録しようとすると、表示されている時間が短いので、紙若しくは筆記道具等の準備、または書き写しが間に合わず、これらの情報を記録し損なってしまうことが多い。
【０００３】
従来、画面に表示された情報を紙などに記録できるように、記録したい時点の１コマ分の映像信号を内蔵されているメモリに書き込んでおいて、メモリに書き込まれた映像信号を基に、静止画像をディスプレイ上に表示できる機能が実現されている。
【０００４】
このような静止画像の表示方法として、図１で示されるようにディスプレイの全画面に静止画像を表示させる方法があった。また、図２で示されるように、いわゆるピクチャ・アンド・ピクチャ機能を使用して、入力された映像信号を基にリアルタイムで動画像を表示させる子画面および静止画像を表示させる子画面を同時に表示させる方法があった。
【０００５】
また、単一の受像管上に複数の画面を同時に表示するための、複数のメモリを含む、複数画面表示手段を備えたテレビジョン受信装置において、同一の信号源からの映像情報を複数のメモリに順次に書き込み、順次に読み出して、複数の画面に動画像を表示すると共に、視聴者の静止画キーの操作に基づいて、ないしは、放送局側から映像信号に多重して送出される静止画コードに基づいて生成される、指令信号により、複数のメモリの１つに対する特定の映像情報の書き込みを指定した後の書き込みを禁止して、複数の画面の１つに特定の静止画像を表示するようにしているものもある（例えば、特許文献１参照）。
【０００６】
【特許文献１】
特開平８−１１６５２１号公報
【０００７】
【発明が解決しようとする課題】
しかしながら、例えば、図１で示されるように、ディスプレイの全画面に静止画像を表示させる場合、現在の放送されている番組等の内容を見ることができなくなってしまうという問題があった。また、例えば、図２で示されるように、ディスプレイの画面に、動画像の子画面と静止画像の子画面とを表示する場合、動画像または静止画像の子画面の表示サイズが小さくなってしまい、記録したい部分が見えにくくなるという問題があった。
【０００８】
本発明はこのような状況に鑑みてなされたものであり、動画像、および所望の時点の動画像の一部である静止画像を、見やすく、かつ同時に表示できるようにすることを目的とする。
【０００９】
【課題を解決するための手段】
本発明の映像信号処理装置は、動画像を表示させるための入力映像信号のうちの一部分を、記憶映像信号として記憶する記憶手段と、使用者の操作に応じて、記憶手段に記憶されている記憶映像信号によって表示させる画面上の領域を指定する領域指定手段と、領域指定手段の指定に基づいて、入力映像信号と、記憶手段から読み出された記憶映像信号とを切り換えにより合成して出力する切換手段とを含むことを特徴とする。
【００１０】
記憶手段は、入力映像信号のうちの１コマ分を、記憶映像信号として記憶するようにすることができる。
【００１１】
本発明の映像信号処理方法は、動画像を表示させるための入力映像信号の記憶が要求されたか否かを判定する判定ステップと、画面上の領域の指定を取得する取得ステップと、判定ステップにおいて入力映像信号の記憶が要求されたと判定された場合、入力映像信号の一部分を記憶映像信号として記憶する記憶ステップと、記憶ステップにおいて記憶された記憶映像信号を読み出す読み出しステップと、取得ステップにおいて取得された画面上の領域の指定に対応する、入力映像信号と記憶映像信号との切り換えのタイミングを演算する演算ステップと、演算ステップにおいて演算されたタイミングで、入力映像信号と、読み出しステップにおいて読み出された記憶映像信号とを切り換えにより合成して出力する切換ステップとを含むことを特徴とする。
【００１２】
本発明の記録媒体のプログラムは、動画像を表示させるための入力映像信号の記憶が要求されたか否かを判定する判定ステップと、画面上の領域の指定を取得する取得ステップと、取得ステップにおいて取得された画面上の領域の指定に対応する、入力映像信号と、判定ステップにおける判定の結果に基づいて記憶されている、入力映像信号の一部分である記憶映像信号との切り換えのタイミングを演算する演算ステップと、演算ステップにおいて演算されたタイミングで、入力映像信号と読み出された記憶映像信号とを切り換えにより合成して出力する切換ステップとを含むことを特徴とする。
【００１３】
本発明のプログラムは、動画像を表示させるための入力映像信号の記憶が要求されたか否かを判定する判定ステップと、画面上の領域の指定を取得する取得ステップと、取得ステップにおいて取得された画面上の領域の指定に対応する、入力映像信号と、判定ステップにおける判定の結果に基づいて記憶されている、入力映像信号の一部分である記憶映像信号との切り換えのタイミングを演算する演算ステップと、演算ステップにおいて演算されたタイミングで、入力映像信号と読み出された記憶映像信号とを切り換えにより合成して出力する切換ステップとをコンピュータに実行させることを特徴とする。
【００１４】
本発明の映像信号処理装置においては、動画像を表示させるための入力映像信号のうちの一部分が、記憶映像信号として記憶され、使用者の操作に応じて、記憶されている記憶映像信号によって表示させる画面上の領域が指定される。そして、指定に基づいて、入力映像信号と読み出された記憶映像信号とが切り換えにより合成されて出力される。
【００１５】
映像信号処理装置は、独立した装置であっても良いし、受信装置または表示装置の信号処理を行うブロックであっても良い。
【００１６】
本発明の映像信号処理方法においては、動画像を表示させるための入力映像信号の記憶が要求されたか否かが判定され、画面上の領域の指定が取得される。入力映像信号の記憶が要求されたと判定された場合、入力映像信号の一部分が記憶映像信号として記憶され、記憶された記憶映像信号が読み出される。そして、取得された画面上の領域の指定に対応する、入力映像信号と記憶映像信号との切り換えのタイミングが演算され、演算されたタイミングで、入力映像信号と、読み出された記憶映像信号とが切り換えにより合成されて出力される。
【００１７】
本発明の記録媒体またはプログラムにおいては、動画像を表示させるための入力映像信号の記憶が要求されたか否かが判定され、画面上の領域の指定が取得される。取得された画面上の領域の指定に対応する、入力映像信号と、判定の結果に基づいて記憶されている、入力映像信号の一部分である記憶映像信号との切り換えのタイミングが演算される。そして、演算されたタイミングで、入力映像信号と読み出された記憶映像信号とが切り換えにより合成されて出力される。
【００１８】
【発明の実施の形態】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００１９】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００２０】
請求項１に記載の映像信号処理装置は、動画像を表示させるための入力映像信号のうちの一部分を、記憶映像信号として記憶する記憶手段（例えば、図３のメモリ１１）と、使用者の操作に応じて、記憶手段に記憶されている記憶映像信号によって表示させる画面上の領域を指定する領域指定手段（例えば、図３のマイクロコンピュータ１３）と、領域指定手段の指定に基づいて、入力映像信号と、記憶手段から読み出された記憶映像信号とを切り換えにより合成して出力する切換手段（例えば、図３のセレクタ１４）とを備えることを特徴とする。
【００２１】
請求項３に記載の映像信号処理方法は、動画像を表示させるための入力映像信号の記憶が要求されたか否かを判定する判定ステップ（例えば、図７のステップＳ１１の処理）と、画面上の領域の指定を取得する取得ステップ（例えば、図７のステップＳ１２の処理）と、判定ステップにおいて入力映像信号の記憶が要求されたと判定された場合、入力映像信号の一部分を記憶映像信号として記憶する記憶ステップ（例えば、図７のステップＳ１３およびステップＳ１４の処理）と、記憶ステップにおいて記憶された記憶映像信号を読み出す読み出しステップ（例えば、図７のステップＳ１５の処理）と、取得ステップにおいて取得された画面上の領域の指定に対応する、入力映像信号と記憶映像信号との切り換えのタイミングを演算する演算ステップ（例えば、図７のステップＳ１６の処理）と、演算ステップにおいて演算されたタイミングで、入力映像信号と、読み出しステップにおいて読み出された記憶映像信号とを切り換えにより合成して出力する切換ステップ（例えば、図７のステップＳ１７の処理）とを含むことを特徴とする。
【００２２】
請求項４に記載の記録媒体のプログラムは、動画像を表示させるための入力映像信号の記憶が要求されたか否かを判定する判定ステップ（例えば、図７のステップＳ１１の処理）と、画面上の領域の指定を取得する取得ステップ（例えば、図７のステップＳ１２の処理）と、取得ステップにおいて取得された画面上の領域の指定に対応する、入力映像信号と、判定ステップにおける判定の結果に基づいて記憶されている、入力映像信号の一部分である記憶映像信号との切り換えのタイミングを演算する演算ステップ（例えば、図７のステップＳ１６の処理）と、演算ステップにおいて演算されたタイミングで、入力映像信号と読み出された記憶映像信号とを切り換えにより合成して出力する切換ステップ（例えば、図７のステップＳ１７の処理）とを含むことを特徴とする。
【００２３】
請求項５に記載のプログラムは、動画像を表示させるための入力映像信号の記憶が要求されたか否かを判定する判定ステップ（例えば、図７のステップＳ１１の処理）と、画面上の領域の指定を取得する取得ステップ（例えば、図７のステップＳ１２の処理）と、取得ステップにおいて取得された画面上の領域の指定に対応する、入力映像信号と、判定ステップにおける判定の結果に基づいて記憶されている、入力映像信号の一部分である記憶映像信号との切り換えのタイミングを演算する演算ステップ（例えば、図７のステップＳ１６の処理）と、演算ステップにおいて演算されたタイミングで、入力映像信号と読み出された記憶映像信号とを切り換えにより合成して出力する切換ステップ（例えば、図７のステップＳ１７の処理）とを含むことを特徴とする。
【００２４】
図３は、本発明に係る映像信号処理装置の一実施の形態の構成を示す図である。図３で示される映像信号処理装置においては、動画像を表示させるための入力映像信号のうちの一部分が、記憶映像信号として記憶され、使用者の操作に応じて、記憶されている記憶映像信号によって表示させる画面上の領域が指定され、指定に基づいて、入力映像信号と、読み出された記憶映像信号とが切り換えにより合成されて出力される。
【００２５】
すなわち、映像信号処理装置は、例えば、メモリ１１、メモリコントローラ１２、マイクロコンピュータ１３、セレクタ１４、およびコントローラ１５を備える。例えば、メモリ１１は、動画像を表示させるための入力映像信号のうちの一部分を、記憶映像信号として記憶し、マイクロコンピュータ１３は、使用者の操作に応じて、記憶されている記憶映像信号によって表示させる画面上の領域を指定し、セレクタ１４は、指定に基づいて、入力映像信号と、読み出された記憶映像信号とを切り換えにより合成して出力する。
【００２６】
映像信号処理装置に入力される入力映像は、動画像を表示させるためのデジタル信号であり、処理の対象となる入力映像信号の一例である。入力映像は、メモリ１１、マイクロコンピュータ１３、およびセレクタ１４に供給される。
【００２７】
メモリ１１は、例えば、いわゆるフレームメモリからなる。メモリ１１は、メモリコントローラ１２の制御の基に、入力された入力映像のうちの１コマ分の入力映像を記憶映像信号としてを記憶する。例えば、メモリ１１は、入力された入力映像の１フィールド分の映像を記憶する。
【００２８】
メモリ１１は、メモリコントローラ１２の制御の基に、記憶されている映像をセレクタ１４に出力する。この場合において、メモリ１１は、入力映像の垂直同期信号および水平同期信号とに同期させて、記憶されている映像をセレクタ１４に出力する。すなわち、セレクタ１４が入力映像およびメモリ１１から供給される映像のいずれを選択して出力しても、出力される出力映像が１つの動画像として構成されるように、メモリ１１がセレクタ１４に出力する映像は、入力映像に同期している。
【００２９】
メモリコントローラ１２は、マイクロコンピュータ１３の制御に基づいて、メモリ１１の入力映像の記憶および記憶されている映像（記憶映像信号）の読み出しを制御する。
【００３０】
マイクロコンピュータ１３は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、インターフェースなどを内蔵する、いわゆるエンベデットコンピュータなどからなり、内蔵しているＲＯＭまたはＲＡＭに記憶されているプログラムを実行して、メモリコントローラ１２およびセレクタ１４を制御する。マイクロコンピュータ１３は、使用者の操作に応じて、メモリ１１に記憶されている１コマ分の映像によって表示させる画面上の領域を指定する。すなわち、マイクロコンピュータ１３は、使用者の操作に対応したコントローラ１５からの指令を取得して、取得した指令、および入力映像の同期信号（水平同期信号および垂直同期信号）に基づいて、メモリコントローラ１２に、入力映像の記憶を指示するか、若しくは記憶されている映像の読み出しを指示するか、またはセレクタ１４に、入力映像とメモリ１１から読み出された映像との切り換えを指示する。
【００３１】
セレクタ１４は、マイクロコンピュータ１３の指定に基づいて、入力映像信号と、メモリ１１から読み出された記憶映像信号とを切り換えにより合成して出力する。すなわち、セレクタ１４は、マイクロコンピュータ１３の制御の基に、入力映像およびメモリ１１から読み出された映像のいずれか一方を選択して、選択された映像を、映像信号である出力映像として出力する。
【００３２】
コントローラ１５は、映像信号処理装置の一部に設けられたキー入力部、または赤外線若しくは電波などを利用した無線により指令をマイクロコンピュータ１３に供給するリモートコントローラである。すなわち、コントローラ１５は、使用者の操作に応じた指令を示す信号を生成して、生成した信号をマイクロコンピュータ１３に供給する。
【００３３】
図４は、リモートコントローラであるコントローラ１５の外観の例を示す図である。コントローラ１５には、メモキー３１、および領域選択キー３２−１乃至３２−１２が設けられている。出力映像として、入力映像がそのまま出力されている場合、メモキー３１が押圧されたとき、コントローラ１５は、画面メモの開始を指示する信号をマイクロコンピュータ１３に供給する。
【００３４】
メモキー３１が押圧される共に、領域選択キー３２−１乃至３２−１２のいずれかが押圧されたとき、コントローラ１５は、静止画像を表示させる画面上の領域を指定する信号をマイクロコンピュータ１３に供給する。
【００３５】
なお、出力映像として、入力映像がそのまま出力されている場合、メモキー３１が押圧される共に、領域選択キー３２−１乃至３２−１２のいずれかが押圧されたとき、コントローラ１５は、画面メモの開始を指示する信号、および静止画像を表示させる画面上の領域を指定する信号をマイクロコンピュータ１３に供給するようにしてもよい。
【００３６】
メモキー３１が押圧されず、領域選択キー３２−１乃至３２−１２のいずれかが押圧されたとき、コントローラ１５は、選局を指示する信号、いわゆる受信する放送局のチャンネルを指示する信号をマイクロコンピュータ１３に供給する。この場合、マイクロコンピュータ１３は、図示せぬチューナーに、コントローラ１５の操作に応じた選局を指示し、チューナーは、マイクロコンピュータ１３の指示に応じて、選局を行う。
【００３７】
出力映像として、入力画像とメモリ１１に記憶されている画像とが画面上の所定の領域毎に選択されて出力影像として出力されている場合、メモキー３１が押圧されたとき、コントローラ１５は、画面メモの終了を指示する信号をマイクロコンピュータ１３に供給する。
【００３８】
なお、コントローラ１５が出力する、画面メモの開始を指示する信号と画面メモの終了を指示する信号とを同一の信号とし、マイクロコンピュータ１３が、メモリ１１、メモリコントローラ１２、またはセレクタ１４の動作状態に応じて、制御を切り換えるようにしてもよい。
【００３９】
ドライブ１６は、装着された磁気ディスク２１、光ディスク２２、光磁気ディスク２３、または半導体メモリ２４に記録されているプログラムを読み出して、マイクロコンピュータ１３に供給する。マイクロコンピュータ１３は、磁気ディスク２１、光ディスク２２、光磁気ディスク２３、または半導体メモリ２４から読み出されたプログラムを、内蔵しているＲＯＭまたはＲＡＭに記憶する。内蔵しているＲＯＭまたはＲＡＭに記憶されたプログラムは、マイクロコンピュータ１３によって実行される。
【００４０】
次に、図５および図６を参照して、映像信号処理装置の動作を説明する。
【００４１】
図５は、入力映像または出力映像によって表示される表示画面の領域を説明する図である。図５で示されるように、表示画面は、領域１乃至領域１２の１２の領域に分割される。映像信号処理装置は、領域１乃至領域１２の１つに静止画像を表示させる。
【００４２】
なお、静止画像を表示させる領域は、１つに限定されるものではなく、２以上の領域に静止画像を表示させるようにしてもよい。また、図５で示される１２の領域への分割は、一例であり、所望の数の領域に分割することができる。
【００４３】
コントローラ１５のメモキー３１が押圧されたとき、静止画像の表示の処理が開始され、再度、コントローラ１５のメモキー３１が押圧されたとき、静止画像の表示の処理が終了する。メモキー３１が押圧されると共に、領域選択キー３２−１乃至３２−１２のいずれかが押圧されたとき、押圧された領域選択キー３２−１乃至３２−１２で指定される画面上の領域に静止画像が表示される。
【００４４】
例えば、メモキー３１と共に、領域選択キー３２−１が押圧されたとき、図５で示される領域１に静止画像が表示され、領域２乃至領域１２には、入力映像に基づいた動画像が表示される。例えば、メモキー３１と共に、領域選択キー３２−２が押圧されたとき、図５で示される領域２に静止画像が表示され、領域１、および領域３乃至領域１２には、入力映像に基づいた動画像が表示される。同様に、メモキー３１と共に、領域選択キー３２−３乃至３２−１２のいずれかが押圧されたとき、押圧された領域選択キー３２−３乃至３２−１２のいずれかに対応する領域３乃至領域１２のいずれかに静止画像が表示され、他の領域には、入力映像に基づいた動画像が表示される。
【００４５】
このようにすることで、コントローラ１５の領域選択キー３２−１乃至３２−１２の配置と、画面上の領域１乃至領域１２の配置とが対応することになるので、使用者は、画面をイメージしながら、コントローラ１５の領域選択キー３２−１乃至３２−１２を操作することができるようになる。
【００４６】
すなわち、例えば、メモキー３１が押圧されたとき、画面メモの開始を指示する信号がコントローラ１５からマイクロコンピュータ１３に供給されるので、マイクロコンピュータ１３は、メモリコントローラ１２に、入力された入力映像のうちの１コマ分の入力映像の記憶を指示する。メモリコントローラ１２は、マイクロコンピュータ１３の指示に基づいて、メモリ１１に、入力された入力映像のうちの１コマ分の入力映像を記憶させる。
【００４７】
メモキー３１が押圧されると共に、領域選択キー３２−１乃至３２−１２のいずれかが押圧されたとき、コントローラ１５からマイクロコンピュータ１３に静止画像を表示させる画面上の領域を指定する信号が供給されるので、マイクロコンピュータ１３は、メモリコントローラ１２に、メモリ１１に記憶されている、１コマ分の入力映像の読み出しを指示すると共に、画面上の領域の指定に対応する、映像の切り換えのタイミングを演算する。メモリコントローラ１２は、メモリ１１に、記憶している１コマ分の入力映像を、入力画像に同期させて、セレクタ１４に供給させる。
【００４８】
より具体的には、マイクロコンピュータ１３は、メモキー３１と共に、領域選択キー３２−１乃至３２−１２のいずれかが押圧されたとき、入力映像の垂直同期信号および水平同期信号を基に、押圧された領域選択キー３２−１乃至３２−１２に対応する領域１乃至領域１２のいずれかを表示するときにはメモリ１１から供給された映像を選択し、他の領域を表示するときには入力映像を選択するように、映像の切り換えのタイミングを演算する。例えば、マイクロコンピュータ１３は、メモキー３１と共に、領域選択キー３２−１が押圧されたとき、入力映像の垂直同期信号および水平同期信号を基に、領域１を表示するときにはメモリ１１から供給された映像を選択し、領域２乃至領域１２を表示するときには入力映像を選択するように、映像の切り換えのタイミングを演算する。
【００４９】
従って、例えば、メモキー３１と共に、領域選択キー３２−１が押圧されたとき、図６で示されるように、映像信号処理装置は、画面メモ領域５１である領域１に、メモキー３１が押圧された時点での静止画像を表示させ、領域２乃至領域１２に、入力映像に基づいた動画像を表示させる出力映像を出力する。
【００５０】
例えば、マイクロコンピュータ１３は、メモキー３１と共に、領域選択キー３２−２が押圧されたとき、入力映像の垂直同期信号および水平同期信号を基に、領域２を表示するときにはメモリ１１から供給された映像を選択し、領域１または領域３乃至領域１２を表示するときには入力映像を選択するように、映像の切り換えのタイミングを演算する。
【００５１】
従って、例えば、メモキー３１と共に、領域選択キー３２−２が押圧されたとき、映像信号処理装置は、領域２に、メモキー３１が押圧された時点での静止画像を表示させ、領域１および領域２乃至領域１２に、入力映像に基づいた動画像を表示させる出力映像を出力する。
【００５２】
再度、メモキー３１が押圧されたとき、画面メモの終了を指示する信号がコントローラ１５からマイクロコンピュータ１３に供給されるので、マイクロコンピュータ１３は、領域１乃至領域１２に入力映像を表示させるようにセレクタ１４を制御する。すなわち、マイクロコンピュータ１３は、セレクタ１４に、常に、入力映像を選択させて、入力映像のみを出力映像として出力させ、メモリ１１から供給された映像を選択させず、メモリ１１から供給された映像を出力させない。この場合、メモリ１１からの映像の読み出しは、停止する。
【００５３】
また、例えば、メモキー３１と共に、領域選択キー３２−１乃至３２−１２のいずれかが押圧された場合、コントローラ１５が、画面メモの開始を指示する信号および静止画像を表示させる領域として領域１乃至領域１２のいずれかを指定する信号をマイクロコンピュータ１３に供給し、マイクロコンピュータ１３は、メモリコントローラ１２に、入力された入力映像のうちの１コマ分の入力映像の記憶を指示すると共に、入力映像の垂直同期信号および水平同期信号を基に、領域１乃至領域１２のいずれかを表示するときにはメモリ１１から供給された映像を選択し、他の領域を表示するときには入力映像を選択するように、映像の切り換えのタイミングを演算するようにしてもよい。
【００５４】
この場合、例えば、メモキー３１と共に、領域選択キー３２−１が押圧された場合、画面メモの開始を指示する信号および静止画像を表示させる領域として領域１を指定する信号がコントローラ１５からマイクロコンピュータ１３に供給されるようにしたとき、マイクロコンピュータ１３は、メモリコントローラ１２に、入力された入力映像のうちの１コマ分の入力映像の記憶を指示すると共に、入力映像の垂直同期信号および水平同期信号を基に、領域１を表示するときにはメモリ１１から供給された映像を選択し、領域２乃至領域１２を表示するときには入力映像を選択するように、映像の切り換えのタイミングを演算するので、映像信号処理装置は、領域１に、メモキー３１および領域選択キー３２−１が押圧された時点での静止画像を表示させ、領域２乃至領域１２に、入力映像に基づいた動画像を表示させる出力映像を出力する。
【００５５】
例えば、メモキー３１と共に、領域選択キー３２−２が押圧された場合、画面メモの開始を指示する信号および静止画像を表示させる領域として領域２を指定する信号がコントローラ１５からマイクロコンピュータ１３に供給されるようにしたとき、マイクロコンピュータ１３は、メモリコントローラ１２に、入力された入力映像のうちの１コマ分の入力映像の記憶を指示すると共に、入力映像の垂直同期信号および水平同期信号を基に、領域２を表示するときにはメモリ１１から供給された映像を選択し、領域１および領域３乃至領域１２を表示するときには入力映像を選択するように、映像の切り換えのタイミングを演算するので、映像信号処理装置は、領域２に、メモキー３１および領域選択キー３２−２が押圧された時点での静止画像を表示させ、領域１および領域３乃至領域１２に、入力映像に基づいた動画像を表示させる出力映像を出力する。
【００５６】
このように、映像信号処理装置は、所望の映像の、所望の領域を静止画像として表示させ、他の領域を動画像として表示させるので、表示サイズを小さくすることなく、動画像と静止画像とを同時に表示できるようにする。すなわち、動画像、および所望の時点の動画像の一部である静止画像を、見やすく、かつ同時に表示できるようになる。
【００５７】
図７は、信号処理プログラムを実行するマイクロコンピュータ１３による映像信号処理を説明するフローチャートである。ステップＳ１１において、信号処理プログラムは、コントローラ１５から供給される、画面メモの開始を指示する信号を基に、画面メモの開始が指示されたか否かを判定し、画面メモの開始が指示されたと判定された場合、ステップＳ１２に進み、コントローラ１５から供給される、静止画像を表示させる画面上の領域を指定する信号を基に、画面メモ領域の指定を取得する。
【００５８】
なお、ステップＳ１１およびステップＳ１２の処理は、１つの処理として、信号処理プログラムは、コントローラ１５から供給される信号を基に、画面メモの開始が指示され、画面メモ領域が選択されたか否かを判定するようにしてもよい。
【００５９】
ステップＳ１３において、信号処理プログラムは、メモリコントローラ１２に、メモリ１１への映像の書き込みを開始させる。メモリコントローラ１２は、入力映像から垂直同期信号を検出し、検出を開始してから最初に検出された垂直同期信号のタイミングで、メモリ１１に、入力映像の記憶を開始させる。ステップＳ１４において、信号処理プログラムは、メモリコントローラ１２に、メモリ１１への映像の書き込みを停止させる。メモリコントローラ１２は、書き込みの停止が指示されたとき、書き込みの停止が指示されてから最初に検出された垂直同期信号のタイミングで、メモリ１１に、入力映像の記憶を停止させる。
【００６０】
ステップＳ１３およびステップＳ１４の処理の結果、メモリ１１には、メモキー３１が押圧された時とほぼ同時刻に図示せぬディスプレイ上に表示されていた（入力画像によって表示されていた）画像１画面分の映像のデータ（静止画像のデータ）が記憶される。換言すれば、メモリ１１は、メモキー３１が押圧されたときの次の垂直同期信号と、さらに次の垂直同期信号との間の、１コマ分の映像のデータを記憶する。
【００６１】
なお、信号処理プログラムが、メモリコントローラ１２に、メモリ１１への映像の書き込みを指示し、マイクロコンピュータ１３から指示されたとき、メモリコントローラ１２が、メモリ１１への、入力映像の記憶の開始と停止とを制御するようにしてもよい。
【００６２】
ステップＳ１５において、信号処理プログラムは、メモリコントローラ１２に、メモリ１１に記憶されている映像の読み出しを開始させる。メモリコントローラ１２は、マイクロコンピュータ１３から映像の読み出しが指示されたとき、入力映像の次の垂直同期信号のタイミングで、メモリ１１に、記憶されている映像の読み出しを開始させ、読み出された映像をセレクタ１４に供給させる。このようにすることで、入力映像と、メモリ１１から読み出される映像とが同期することになる。
【００６３】
ステップＳ１６において、信号処理プログラムは、セレクタ切り換えタイミングを演算する。換言すれば、信号処理プログラムは、ステップＳ１２の処理で指定された画面メモ領域、すなわち、静止画像を表示させる領域に静止画像を表示させるために、入力映像とメモリ１１から読み出される映像をセレクタ１４にて切り換えて出力させるための制御信号の、垂直同期信号と水平同期信号とを基準としたタイミングを演算する。
【００６４】
なお、ステップＳ１６の処理は、ステップＳ１３乃至ステップＳ１５の処理と並行して実行してもよく、ステップＳ１５の処理の後に行っても良い。
【００６５】
また、信号処理プログラムは、画面メモ領域に対応した、セレクタ切り換えタイミングを予め記憶しておき、それを読み出して使用するようにしてもよい。
【００６６】
ステップＳ１７において、信号処理プログラムは、セレクタ１４の切り換えの制御の処理を実行する。ステップＳ１７の処理の詳細は、後述する。ステップＳ１７の処理と並行して、信号処理プログラムは、コントローラ１５から供給される信号の入力待ち状態となり、ステップＳ１８において、信号処理プログラムは、コントローラ１５から供給される、画面メモの終了を指示する信号を基に、画面メモの終了が指示されたか否かを判定する。すなわち、ステップＳ１７の処理およびステップＳ１８の処理は、並行して実行される。
【００６７】
ステップＳ１８において、画面メモの終了が指示されていないと判定された場合、ステップＳ１７に戻り、上述した処理を繰り返す。すなわち、画面メモの終了が指示されるまで、ステップＳ１２の処理で指定された画面メモ領域に、メモリ１１に記憶されている映像を基にした静止画像が表示され、他の領域に、入力映像を基にした動画像が表示させる処理が繰り返される。
【００６８】
ステップＳ１８において、画面メモの終了が指示されたと判定された場合、ステップＳ１９に進み、信号処理プログラムは、セレクタ１４の切り換えの制御を停止し、セレクタ１４に、入力映像のみを出力映像として出力させる。
【００６９】
ステップＳ２０において、信号処理プログラムは、メモリコントローラ１２に、メモリ１１に記憶されている映像の読み出しを停止させ、メモリ１１の不要な動作を防ぎ、ステップＳ１１に戻り、処理を繰り返す。メモリコントローラ１２は、マイクロコンピュータ１３から映像の読み出しの停止が指示されたとき、メモリ１１に、記憶されている映像の読み出しを停止させる。
【００７０】
図７のフローチャートを参照して説明した信号処理は、例えば、映像信号処理装置の起動と共に開始され、映像信号処理装置が停止したとき、終了する。
【００７１】
次に、図８のフローチャートを参照して、ステップＳ１７の処理の詳細を説明する。ステップＳ３１において、信号処理プログラムは、入力映像から、垂直同期信号および水平同期信号を取得する。
【００７２】
ステップＳ３１の処理は、ステップＳ３２乃至ステップＳ３３の処理と並行して実行される。
【００７３】
ステップＳ３２において、信号処理プログラムは、ステップＳ３１の処理によって、取得されたされた垂直同期信号および水平同期信号、および図７のステップＳ１６の処理で演算されたセレクタ切り換えタイミングを基に、画面メモ領域の映像を出力するか否かを判定し、画面メモ領域の映像を出力すると判定された場合、ステップＳ３３に進み、メモリ１１から読み出された映像を出力するように、セレクタ１４を切り換えて、ステップＳ３１に戻り、上述した処理を繰り返す。
【００７４】
ステップＳ３２において、画面メモ領域の映像を出力しないと判定された場合、ステップＳ３４に進み、信号処理プログラムは、入力映像を出力するように、セレクタ１４を切り換えて、ステップＳ３１に戻り、上述した処理を繰り返す。
【００７５】
図８のフローチャートを参照して説明した処理は、図７のステップＳ１９の処理を実行したとき、停止する。
【００７６】
このように、信号処理プログラムを実行するマイクロコンピュータ１３は、画面メモ領域にメモリ１１から読み出された静止画像を表示させ、他の領域に入力映像に基づく動画像を表示させるように、セレクタの切り換えを制御することができる。
【００７７】
以上のように、映像信号処理装置は、使用者によって静止画像表示を選択された領域のみに静止画像を表示させるようにコントローラ１５が操作された時点とほぼ同じ時刻の静止画像を選択された領域に表示させると共に、他の領域に、現在入力されている入力映像を基にした動画像を表示させる出力映像を出力する。
【００７８】
使用者から、ディスプレイによって表示されている動画像の中で静止させて表示させたい画面の領域が指定されたとき、本発明に係る映像信号処理装置は、指定された領域の静止画像と入力映像による動画像を、同時に、かつ画像の大きさを小さくすることなく表示させる。指定された領域の静止画像と入力映像による動画像は、いずれかを全画面に表示するときと同じ大きさで表示される。
【００７９】
その結果、使用者は、現在の放送内容およびメモをしたい領域の内容を容易に確認することができるようになる。
【００８０】
さらに、本発明に係る映像信号処理装置をテレビジョン受信装置に組み込む場合、または本発明に係る処理をテレビジョン受信装置に実行させる場合、現在のテレビジョン受信装置は、多画面処理機能を有し、その機能には、２系統異常のスケーリング処理機能、フィールドメモリ、出力セレクタが含まれていることが多いので、ハードウェアの追加がほとんど必要とされず、コストの増加がない。
【００８１】
このように、動画像を表示させるための入力映像信号のうちの一部分を、記憶映像信号として記憶し、記憶している記憶映像信号を出力するようにした場合、静止画像を表示させることができるようになる。また、動画像を表示させるための入力映像信号のうちの一部分を、記憶映像信号として記憶し、使用者の操作に応じて、記憶されている記憶映像信号によって表示させる画面上の領域を指定し、指定に基づいて、入力映像信号と、読み出された記憶映像信号とを切り換えにより合成して出力するようにした場合、動画像、および所望の時点の動画像の一部である静止画像を、見やすく、かつ同時に表示できるようになる。
【００８２】
動画像を表示させるための入力映像信号の記憶が要求されたか否かを判定し、画面上の領域の指定を取得し、入力映像信号の記憶が要求されたと判定された場合、入力映像信号の一部分を記憶映像信号として記憶し、記憶された記憶映像信号を読み出し、取得された画面上の領域の指定に対応する、入力映像信号と記憶映像信号との切り換えのタイミングを演算し、演算されたタイミングで、入力映像信号と、読み出された記憶映像信号とを切り換えにより合成して出力するようにした場合、動画像、および所望の時点の動画像の一部である静止画像を、見やすく、かつ同時に表示できるようになる。
【００８３】
動画像を表示させるための入力映像信号の記憶が要求されたか否かを判定し、画面上の領域の指定を取得し、取得された画面上の領域の指定に対応する、入力映像信号と、判定の結果に基づいて記憶されている、入力映像信号の一部分である記憶映像信号との切り換えのタイミングを演算し、演算されたタイミングで、入力映像信号と読み出された記憶映像信号とを切り換えにより合成して出力するようにした場合、動画像、および所望の時点の動画像の一部である静止画像を、見やすく、かつ同時に表示できるようになる。
【００８４】
なお、メモリ１１は、１フィールドに限らず、１フレーム、または１秒間乃至３秒間など、所定の期間の映像を記憶するようにしてもよい。また、メモリ１１は、１フィールドまたは１フレームの、画面の下半分または上半分など、画面上の一部の領域のみの映像を記憶するようにしてもよい。
【００８５】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【００８６】
この記録媒体は、図３に示すように、コンピュータとは別に、ユーザにプログラムを提供するために配布される、プログラムが記録されている磁気ディスク２１（フレキシブルディスクを含む）、光ディスク２２（ＣＤ−ＲＯＭ（Ｃｏｍｐａｃｔ  Ｄｉｓｃ−Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｃ）を含む）、光磁気ディスク２３（ＭＤ（Ｍｉｎｉ−Ｄｉｓｃ）（商標）を含む）、若しくは半導体メモリ２４などよりなるパッケージメディアにより構成されるだけでなく、コンピュータに予め組み込まれた状態でユーザに提供される、マイクロコンピュータ１３に内蔵されている、プログラムが記録されているＲＯＭや、図示せぬハードディスクなどで構成される。
【００８７】
なお、上述した一連の処理を実行させるプログラムは、必要に応じてルータ、モデムなどのインタフェースを介して、ローカルエリアネットワーク、インターネット、デジタル衛星放送といった、有線または無線の通信媒体を介してコンピュータにインストールされるようにしてもよい。
【００８８】
また、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【００８９】
【発明の効果】
以上のように、本発明によれば、所望の時点の動画像の一部である静止画像を表示することができる。
【００９０】
また、本発明によれば、動画像、および所望の時点の動画像の一部である静止画像を、見やすく、かつ同時に表示することができる。
【図面の簡単な説明】
【図１】従来の静止画像を表示させる方法を説明する図である。
【図２】従来の静止画像を表示させる方法を説明する図である。
【図３】本発明に係る映像信号処理装置の一実施の形態の構成を示す図である。
【図４】コントローラ１５の外観の例を示す図である。
【図５】映像信号処理装置の動作を説明する図である。
【図６】映像信号処理装置の動作を説明する図である。
【図７】映像信号処理を説明するフローチャートである。
【図８】セレクタ１４の切り換えの制御の処理を説明するフローチャートである。
【符号の説明】
１１  メモリ，  １２  メモリコントローラ，  １３  マイクロコンピュータ，  １４  セレクタ，  １５  コントローラ，  １６  ドライブ，  ２１  磁気ディスク，  ２２  光ディスク，  ２３  光磁気ディスク，  ２４  半導体メモリ，  ３１  メモキー，  ３２−１乃至３２−１２  領域選択キー
【図１】
2004328091.tif 000003
【図２】
2004328091.tif 000004
【図３】
2004328091.tif 000005
【図４】
2004328091.tif 000006
【図５】
2004328091.tif 000007
【図６】
2004328091.tif 000008
【図７】
2004328091.tif 000009
【図８】
2004328091.tif 000010